(57)【要約】【課題】視聴者間で楽しみが共有される映像表示システムを提供する。【解決手段】映像表示システム１を構成するテレビ１０は、表示領域１２に表示されているチャンネルの番号が含まれるパケット３００を、インターネット９０に接続されてＩＰ電話セッションが確立されているテレビ２０に送信する。テレビ２０は、パケット３００に含まれるチャンネル番号に基づいて、そのチャンネルを選択し、表示領域２２の一部の表示領域２４に映像を表示する。テレビ１０の表示領域１２に表示されている映像とテレビ２０の表示領域２４に表示されている映像とは同じになり、楽しみが共有される。【選択図】図１
2008182461.tif 000002
【特許請求の範囲】
【請求項１】
第１のテレビジョン受信装置と、インターネットを介して前記第１のテレビジョン受信装置に接続される第２のテレビジョン受信装置とを備え、
前記第１のテレビジョン受信装置は、
複数のテレビ放送信号の入力を受ける第１の入力手段と、
前記複数のテレビ放送信号のうちの少なくとも１つの信号を選択する第１のチューナ手段と、
前記第１のチューナ手段に選択された信号に基づいて映像を表示する第１の表示手段と、
インターネットプロトコルに従って、信号の送信または受信を行なう第１の通信手段と、
前記第２のテレビジョン受信装置に対する情報の送信の許可と禁止とを規定する第１の制御データを格納する第１の記憶手段と、
前記第１の通信手段からの信号に基づいて、前記第１のテレビジョン受信装置と前記第２のテレビジョン受信装置との間で通話セッションが確立されていることを検知する第１の検知手段と、
前記第１の制御データが前記送信の許可を規定している場合に、前記通話セッションが確立されている間に、前記第１のチューナ手段によって選択されている信号により特定されるチャンネル情報を、前記第１の通信手段を介して前記第２のテレビジョン受信装置に送信する送信制御手段とを備え、
前記第２のテレビジョン受信装置は、
複数のテレビ放送信号の入力を受ける第２の入力手段と、
映像を表示する第２の表示手段と、
インターネットプロトコルに従って、信号の送信または受信を行なう第２の通信手段と、
前記第１のテレビジョン受信装置から受信する情報に基づく映像の表示の許可と禁止とを規定する第２の制御データを格納する第２の記憶手段と、
前記第１のテレビジョン受信装置から前記チャンネル情報を受信したことを検知する第２の検知手段と、
前記チャンネル情報の受信を検知したことに基づいて、前記第２の制御データが前記表示の許可を規定している場合に、前記複数のテレビ放送信号から、前記チャンネル情報によって特定される信号を選択する第２のチューナ手段と、
前記第２のチューナ手段によって選択された信号に基づく映像を前記第２の表示手段に表示させる表示制御手段とを備える、映像表示システム。
【請求項２】
第１のテレビジョン受信装置と、通信回線を介して前記第１のテレビジョン受信装置に接続される第２のテレビジョン受信装置とを備え、
前記第１のテレビジョン受信装置は、
映像を表示するための信号を取得する第１の取得手段と、
前記信号に基づいて映像を表示する第１の表示手段と、
インターネットプロトコルに従って、信号の送信または受信を行なう第１の通信手段と、
前記映像を前記第２のテレビジョン受信装置に表示させるための映像表示情報を、前記第１の通信手段を介して前記第２のテレビジョン受信装置に送信する第１の制御手段とを備え、
前記第２のテレビジョン受信装置は、
インターネットプロトコルに従って、信号の送信または受信を行なう第２の通信手段と、
映像を表示するための信号を取得する第２の取得手段と、
映像を表示する第２の表示手段と、
前記第２の取得手段によって取得された信号に基づいて、前記第１のテレビジョン受信装置から受信した映像表示情報に基づく映像を前記第２の表示手段に表示させる第２の制御手段とを備える、映像表示システム。
【請求項３】
前記第１の取得手段は、
複数のテレビ放送信号の入力を受ける第１の入力手段と、
前記複数のテレビ放送信号のうちの少なくとも１つの信号を選択する第１のチューナ手段とを含み、
前記第１の制御手段は、前記第１のチューナ手段に選択されている信号によって特定されるチャンネル情報を、前記第２のテレビジョン受信装置に送信し、
前記第２の取得手段は、
複数のテレビ放送信号の入力を受ける第２の入力手段と、
前記複数のテレビ放送信号のうちの少なくとも１つの信号を選択する第２のチューナ手段とを含み、
前記第２の制御手段は、
前記第１のテレビジョン受信装置から受信したチャンネル情報を前記第２のチューナ手段に選択させる選択制御手段と、
前記選択制御手段によって選択されたチャンネル情報に基づく映像を前記第２の表示手段に表示させる表示制御手段とを含む、請求項２に記載の映像表示システム。
【請求項４】
前記第１の取得手段は、前記第１のテレビジョン受信装置の外部から映像信号の入力を受ける第１の映像信号入力手段を含み、
前記第１の制御手段は、
前記映像信号を符号化する符号化器と、
前記符号化器によって生成されたデータに基づいて、前記第２のテレビジョン受信装置に送信されるパケットデータを生成する生成手段とを含み、
前記第２の制御手段は、
前記第１のテレビジョン受信装置から送信された情報から、前記パケットデータを抽出する抽出手段と、
前記パケットデータから前記映像信号を復号する復号器とを含み、
前記第２の表示手段は、前記映像信号に基づいて映像を表示する、請求項２に記載の映像表示システム。
【請求項５】
前記第１のテレビジョン受信装置は、前記第２のテレビジョン受信装置に対する情報の送信の許可と禁止とを規定する第１の制御データを格納する第１の記憶手段をさらに備え、
前記第１の制御データが前記送信の許可を規定している場合に、前記第１の制御手段は、前記映像表示情報を前記第２のテレビジョン受信装置に送信する、請求項２に記載の映像表示システム。
【請求項６】
前記第２のテレビジョン受信装置は、前記第１のテレビジョン受信装置から受信する情報に基づく映像の表示の許可と禁止とを規定する第２の制御データを格納する第２の記憶手段をさらに備え、
前記第２の制御データが前記表示の許可を規定している場合に、前記第２の制御手段は、前記映像表示情報に基づく映像を前記第２の表示手段に表示させる、請求項２に記載の映像表示システム。
【請求項７】
前記第２のテレビジョン受信装置は、
前記第１のテレビジョン受信装置から送信された映像表示情報に基づく映像を表示することが出来るか否かを確認する確認手段と、
前記映像表示情報に基づく映像を表示できないことが確認された場合に前記映像を表示できないことを示す通知信号を生成する生成手段と、
前記通知信号を前記第１のテレビジョン受信装置に送信する通知手段とをさらに備え、
前記第１のテレビジョン受信装置は、前記通知信号を受信したことに基づいて、前記第１の取得手段によって取得された映像信号を前記第２のテレビジョン受信装置に送信する信号送信手段をさらに備え、
前記第２のテレビジョン受信装置において、前記第２の表示手段は、前記映像信号に基づく映像を表示する、請求項２に記載の映像表示システム。
【請求項８】
前記第２の制御手段は、前記第２の表示手段における表示領域のうちの一部の領域に、前記第１のテレビジョン受信装置から受信した映像表示情報に基づく映像を表示させる、請求項２に記載の映像表示システム。
【請求項９】
前記第１のテレビジョン受信装置を制御するリモコン端末をさらに備え、
前記リモコン端末は、
前記リモコン端末に対する操作を受け付ける操作手段と、
前記操作に応じた信号を生成する生成手段と、
前記信号を出力する発信手段と、
前記第１のテレビジョン受信装置を介して、インターネット・プロトコルに従う通話信号の送信と受信とを行なう電話手段とを備え、
前記第１のテレビジョン受信装置は、
前記リモコン端末によって発信された信号を受信する制御信号受信手段と、
前記リモコン端末との間で信号を通信する電話手段とをさらに備える、請求項２に記載の映像表示システム。
【請求項１０】
前記操作手段は、前記第１のテレビジョン受信装置による映像表示情報の送信の許可または禁止を設定するための操作を受け付け、
前記生成手段は、前記操作に応じて、前記許可または禁止を表わす信号を生成し、
前記第１のテレビジョン受信装置は、前記許可または禁止を規定する第１の制御データを格納する第１の記憶手段をさらに備え、
前記第１の制御手段は、前記第１の制御データが前記送信の許可を規定している場合に、前記映像表示情報を前記第２のテレビジョン受信装置に送信する、請求項９に記載の映像表示システム。
【発明の詳細な説明】
【技術分野】
【０００１】
本発明は映像を表示する技術に関し、特に、通信回線によって接続されている複数の映像表示装置に映像を表示する技術に関する。
【背景技術】
【０００２】
テレビを通信回線に接続して、映像または音声を伝送する技術が知られている。たとえば、特開２００６−９３８８３号公報（特許文献１）は、通話者の撮像および音声に加えて、外部からの映像および音声を送信でき、外部からの音声とともに通話者の音声も送信できるテレビ通話装置を開示している。
【０００３】
また、特開２００６−２２９７２６号公報（特許文献２）は、ＩＰ（Internet  Protocol）テレビ電話端末の両利用者が、呼び接続中に、特定の映像コンテンツデータの再生画像を同時に見ながら会話を進めることができるように映像コンテンツデータを再生する技術を開示している。
【０００４】
また、特開２００４−４０６９８号公報（特許文献３）は、テレビ視聴中にその番組に関して誰かと話したいと思った場合に、話し相手を見つけ出すことができる技術を開示している。
【０００５】
また、特開２００６−１０８９９６号公報（特許文献４）は、映像コンテンツまたは視聴コンテンツを視聴している視聴者にとって、より好適なコミュニケーション手段を提供する技術を開示している。
【０００６】
さらに、特開２００３−２２３４０７号公報（特許文献５）は、画像、音声等のコンテンツを楽しみながらコミュニケーションを可能にする技術を開示している。
【特許文献１】特開２００６−９３８８３号公報
【特許文献２】特開２００６−２２９７２６号公報
【特許文献３】特開２００４−４０６９８号公報
【特許文献４】特開２００６−１０８９９６号公報
【特許文献５】特開２００３−２２３４０７号公報
【発明の開示】
【発明が解決しようとする課題】
【０００７】
しかしながら、特開２００６−９３８８３号公報に開示された技術によると、話者の音声と映像の音声とを切り換えて送信するために、装置の構成が複雑になる恐れがあった。また、特開２００６−２２９７２６号公報に開示された技術によると、通話中に映像データが送信されるため、トラフィックが大きくなり、通話が遮られたりして、送信者と受信者とが同じタイミングで楽しむことができない場合もあった。
【０００８】
特開２００４−４０６９８号公報に開示された技術によると、両者が同一の番組を既に視聴している場合に通話が可能になるため、異なる番組を視聴している場合に、各番組の楽しみを共有することができないという問題もあった。
【０００９】
特開２００６−１０８９９６号公報に開示された技術によると、特定のグループに予め属している視聴者間によってのみ、同一のコンテンツを視聴できるため、任意の視聴者による楽しみが共有されない場合もあった。
【００１０】
特開２００３−２２３４０７号公報に開示された技術によると、映像コンテンツの送信がサーバによって行なわれるため、各映像表示装置による設定が複雑になる恐れがあった。
【００１１】
本発明は、上述の問題点を解決するためになされたものであって、その目的は、異なる映像を視聴する複数の視聴者による興趣が高められる映像表示システムを提供することである。
【００１２】
本発明の他の目的な、映像表示装置の構成を簡略化することができる映像表示システムを提供することである。
【課題を解決するための手段】
【００１３】
上記の課題を解決するために、この発明のある局面に従う映像表示システムは、第１のテレビジョン受信装置と、インターネットを介して第１のテレビジョン受信装置に接続される第２のテレビジョン受信装置とを備える。第１のテレビジョン受信装置は、複数のテレビ放送信号の入力を受ける第１の入力手段と、複数のテレビ放送信号のうちの少なくとも１つの信号を選択する第１のチューナ手段と、第１のチューナ手段に選択された信号に基づいて映像を表示する第１の表示手段と、インターネットプロトコルに従って、信号の送信または受信を行なう第１の通信手段と、第２のテレビジョン受信装置に対する情報の送信の許可と禁止とを規定する第１の制御データを格納する第１の記憶手段と、第１の通信手段からの信号に基づいて、第１のテレビジョン受信装置と第２のテレビジョン受信装置との間で通話セッションが確立されていることを検知する第１の検知手段と、第１の制御データが送信の許可を規定している場合に、通話セッションが確立されている間に、第１のチューナ手段によって選択されている信号により特定されるチャンネル情報を、第１の通信手段を介して第２のテレビジョン受信装置に送信する送信制御手段とを備える。第２のテレビジョン受信装置は、複数のテレビ放送信号の入力を受ける第２の入力手段と、映像を表示する第２の表示手段と、インターネットプロトコルに従って、信号の送信または受信を行なう第２の通信手段と、第１のテレビジョン受信装置から受信する情報に基づく映像の表示の許可と禁止とを規定する第２の制御データを格納する第２の記憶手段と、第１のテレビジョン受信装置からチャンネル情報を受信したことを検知する第２の検知手段と、チャンネル情報の受信を検知したことに基づいて、第２の制御データが表示の許可を規定している場合に、複数のテレビ放送信号から、チャンネル情報によって特定される信号を選択する第２のチューナ手段と、第２のチューナ手段によって選択された信号に基づく映像を第２の表示手段に表示させる表示制御手段とを備える。
【００１４】
この発明の他の局面に従う映像表示システムは、第１のテレビジョン受信装置と、通信回線を介して第１のテレビジョン受信装置に接続される第２のテレビジョン受信装置とを備える。第１のテレビジョン受信装置は、映像を表示するための信号を取得する第１の取得手段と、信号に基づいて映像を表示する第１の表示手段と、インターネットプロトコルに従って、信号の送信または受信を行なう第１の通信手段と、映像を第２のテレビジョン受信装置に表示させるための映像表示情報を、第１の通信手段を介して第２のテレビジョン受信装置に送信する第１の制御手段とを備える。第２のテレビジョン受信装置は、インターネットプロトコルに従って、信号の送信または受信を行なう第２の通信手段と、映像を表示するための信号を取得する第２の取得手段と、映像を表示する第２の表示手段と、第２の取得手段によって取得された信号に基づいて、第１のテレビジョン受信装置から受信した映像表示情報に基づく映像を第２の表示手段に表示させる第２の制御手段とを備える。
【００１５】
好ましくは、第１の取得手段は、複数のテレビ放送信号の入力を受ける第１の入力手段と、複数のテレビ放送信号のうちの少なくとも１つの信号を選択する第１のチューナ手段とを含む。第１の制御手段は、第１のチューナ手段に選択されている信号によって特定されるチャンネル情報を、第２のテレビジョン受信装置に送信する。第２の取得手段は、複数のテレビ放送信号の入力を受ける第２の入力手段と、複数のテレビ放送信号のうちの少なくとも１つの信号を選択する第２のチューナ手段とを含む。第２の制御手段は、第１のテレビジョン受信装置から受信したチャンネル情報を第２のチューナ手段に選択させる選択制御手段と、選択制御手段によって選択されたチャンネル情報に基づく映像を第２の表示手段に表示させる表示制御手段とを含む。
【００１６】
好ましくは、第１の取得手段は、第１のテレビジョン受信装置の外部から映像信号の入力を受ける第１の映像信号入力手段を含む。第１の制御手段は、映像信号を符号化する符号化器と、符号化器によって生成されたデータに基づいて、第２のテレビジョン受信装置に送信されるパケットデータを生成する生成手段とを含む。第２の制御手段は、第１のテレビジョン受信装置から送信された情報から、パケットデータを抽出する抽出手段と、パケットデータから映像信号を復号する復号器とを含む。第２の表示手段は、映像信号に基づいて映像を表示する。
【００１７】
好ましくは、第１のテレビジョン受信装置は、第２のテレビジョン受信装置に対する情報の送信の許可と禁止とを規定する第１の制御データを格納する第１の記憶手段をさらに備える。第１の制御データが送信の許可を規定している場合に、第１の制御手段は、映像表示情報を第２のテレビジョン受信装置に送信する。
【００１８】
好ましくは、第２のテレビジョン受信装置は、第１のテレビジョン受信装置から受信する情報に基づく映像の表示の許可と禁止とを規定する第２の制御データを格納する第２の記憶手段をさらに備える。第２の制御データが表示の許可を規定している場合に、第２の制御手段は、映像表示情報に基づく映像を第２の表示手段に表示させる。
【００１９】
好ましくは、第２のテレビジョン受信装置は、第１のテレビジョン受信装置から送信された映像表示情報に基づく映像を表示することが出来るか否かを確認する確認手段と、映像表示情報に基づく映像を表示できないことが確認された場合に映像を表示できないことを示す通知信号を生成する生成手段と、通知信号を第１のテレビジョン受信装置に送信する通知手段とをさらに備える。第１のテレビジョン受信装置は、通知信号を受信したことに基づいて、第１の取得手段によって取得された映像信号を第２のテレビジョン受信装置に送信する信号送信手段をさらに備える。第２のテレビジョン受信装置において、第２の表示手段は、映像信号に基づく映像を表示する。
【００２０】
好ましくは、第２の制御手段は、第２の表示手段における表示領域のうちの一部の領域に、第１のテレビジョン受信装置から受信した映像表示情報に基づく映像を表示させる。
【００２１】
好ましくは、映像表示システムは、第１のテレビジョン受信装置を制御するリモコン端末をさらに備える。リモコン端末は、リモコン端末に対する操作を受け付ける操作手段と、操作に応じた信号を生成する生成手段と、信号を出力する発信手段と、第１のテレビジョン受信装置を介して、インターネット・プロトコルに従う通話信号の送信と受信とを行なう電話手段とを備える。第１のテレビジョン受信装置は、リモコン端末によって発信された信号を受信する制御信号受信手段と、リモコン端末との間で信号を通信する電話手段とをさらに備える。
【００２２】
好ましくは、操作手段は、第１のテレビジョン受信装置による映像表示情報の送信の許可または禁止を設定するための操作を受け付ける。生成手段は、操作に応じて、許可または禁止を表わす信号を生成する。第１のテレビジョン受信装置は、許可または禁止を規定する第１の制御データを格納する第１の記憶手段をさらに備える。第１の制御手段は、第１の制御データが送信の許可を規定している場合に、映像表示情報を第２のテレビジョン受信装置に送信する。
【発明の効果】
【００２３】
本発明に係る映像表示システムによると、異なる映像を視聴する複数の視聴者による興趣が高められ得る。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
＜第１の実施の形態＞
最初に、図１を参照して、本発明の第１の実施の形態に係る映像表示システム１を実現する技術的思想について説明する。図１は、映像表示システム１を構成するテレビ１０，２０等の間で行なわれる通信を表わすシーケンスチャートである。テレビ１０とテレビ２０は、インターネット９０を介して接続されている。
【００２６】
ステップＳ１００にて、テレビ１０は、テレビ２０に対して、ＩＰ（Internet Protocol）に従う電話をかけるための発呼動作を行なう。ステップＳ１１０にて、テレビ１０は、テレビ２０から発呼動作に対する呼び出しが行なわれていることを表わす信号を受信する。ステップＳ１２０にて、テレビ１０は、テレビ２０から発呼動作に対する応答があったことを表わす信号を受信する。
【００２７】
ステップＳ１３０にて、テレビ１０は、テレビ２０に対して応答に対する確認の信号を送信する。さらに、テレビ１０とテレビ２０との間で、ＳＩＰ（Session Initiation Protocol）に従った電話セッションの確立が行なわれる。この電話セッションが確立されると、テレビ１０とテレビ２０との間で各使用者による音声通話が行なわれる（ステップＳ１４０）。
【００２８】
ステップＳ１５０にて、テレビ１０は、自己において表示されている映像を特定するための情報（以下「映像表示情報」）をテレビ２０に対して送信する。ステップＳ１６０にて、テレビ１０は、テレビ２０から、テレビ２０における動作の状態を表わすステータス信号を受信する。
【００２９】
ステップＳ１７０にて、テレビ１０とテレビ２０との間で音声信号および映像信号の通信が行なわれる。より具体的には、テレビ１０は、テレビ２０に対して選択されているチャンネルを特定するデータを映像表示情報として送信する。テレビ１０の使用者がテレビ１０のリモコン端末（図示しない）を操作して発話を行なうと、その発話に応じた音声信号は、テレビ２０に伝送され、インターネット通話が実現される。
【００３０】
ステップＳ１８０にて、テレビ１０は、テレビ２０に対してＩＰ電話の終了を通知する。ステップＳ１９０にて、テレビ１０は、テレビ２０からその終了に対する確認（了解）を受信する。
【００３１】
図２を参照して、本実施の形態に係る映像表示システム１についてさらに説明する。図２は、映像表示システム１の構成を表わす図である。映像表示システム１は、テレビ１０，２０に加えて、ＳＩＰ管理サーバ６０を備える。テレビ１０には、ＤＶＤ（Digital Versatile Disc）プレーヤ５０、ＨＤＤ（Hard Disk Recorder）レコーダその他の映像再生装置が接続されている。テレビ１０は、リモコン端末３０によって発せられる制御信号により制御される。テレビ２０は、リモコン端末４０によって発せられる制御信号により制御される。
【００３２】
テレビ１０は、表示領域１２において、リモコン端末３０によって選択されたチャンネルに対応する映像を表示する。テレビ１０は、さらに、表示領域１２の一部に示される表示領域１４において、テレビ２０に表示されている映像に対応するチャンネルの映像を表示する。テレビ１０は、テレビ２０に対して、映像表示情報を含むパケット３００を送信する。パケット３００は、テレビ２０によって受信され、映像表示情報がパケット３００から抽出される。テレビ２０は、その映像表示情報に基づいてテレビ１０において選択されているチャンネル（１チャンネル）に対応する映像を表示領域２４に表示する。テレビ２０は、映像表示領域２２において、リモコン端末４０によって選択されているチャンネルに対応する映像を表示する。
【００３３】
ＳＩＰ管理サーバ６０は、ＳＩＰに従うＩＰ電話を管理する。ＳＩＰ管理サーバ６０は、たとえば、データを格納する記憶装置と命令を実行するプロセッサとを有するコンピュータシステムによって実現される。
【００３４】
ＳＩＰ管理サーバ６０の記憶装置は、テレビ１０，テレビ２０によるＩＰ電話を実現するためのデータを格納している。より具体的には、各テレビを識別するためのデータ（ＴＶ−ＩＤ）は、メモリ領域６２に格納されている。各テレビに割り当てられたＩＰアドレスは、メモリ領域６４に格納されている。各テレビのＩＰ電話番号は、メモリ領域６６に格納されている。ＳＩＰ管理サーバ６０のプロセッサは、当該記憶装置に格納されているデータとプログラムとに基づいてＳＩＰに従う通信セッションを各端末装置との間で確立する。そのセッションが確立されると、各端末装置は、ＩＰ電話を使用することができる。なお、ＳＩＰ管理サーバ６０は、周知の構成を有するコンピュータシステムによって実現される。したがって、その説明はここでは繰り返さない。
【００３５】
図３を参照して、テレビ１０とテレビ２０との間で通信されるデータについて説明する。図３は、パケット３００の構成を概念的に表わす図である。パケット３００は、ヘッダ部３１０と、ユーザデータ部３２０と、ＦＣＳ（Frame Check Sequence）３３０とを含む。ヘッダ部３１０は、宛先アドレスと送信元アドレスとを含む。宛先アドレスは、テレビ２０のＩＰアドレス（１２３．４５６．＊＊．２）である。送信元アドレスは、パケット３００を送信するテレビ１０のＩＰアドレス（１２３．４５６．＊＊．１）である。
【００３６】
ユーザデータ部３２０は、映像表示情報が含まれていることを示すコードと、テレビ１０において選択されているチャンネルの番号と、そのチャンネルの表示をパケット３００の受信者に要求するコードとを含む。ＦＣＳ３３０は、パケット３００におけるデータの誤りを訂正するためのデータを含む。
【００３７】
図３に示されるパケット３００は、テレビ１０からテレビ２０に送信されるものである。逆に、テレビ２０からテレビ１０に対して送信されるパケットも、図３に示されるパケット３００が有する構成と同様の構成により実現される。
【００３８】
図４を参照して、映像表示システム１を実現する機能について説明する。図４は、テレビ１０およびテレビ２０によって実現される機能の構成を表わすブロック図である。
【００３９】
テレビ１０は、第１の制御部４１０と、第１の取得部４２０と、第１の操作部４２２と、第１の記憶部４２４と、第１の表示部４２６と、第１の通信部４２８とを備える。第１の制御部４１０は、ＳＩＰ通信管理部４１２を含む。第１の取得部４２０は、第１の表示部４２６に映像を表示するための信号を取得する。ある局面において、第１の取得部４２０は、複数のテレビ放送信号の入力を受ける入力部と、これらのテレビ放送信号のうちの少なくとも１つの信号を選択するチューナ部として実現される。他の局面において、第１の取得部４２０は、テレビ１０の外部から映像信号の入力を受ける映像信号入力部として実現される。なお、テレビ放送信号は、地上波放送、ＢＳ（Broadcast Satellite）放送、ＣＳ（Commercial Satellite）放送、ケーブルテレビジョン放送、インターネットテレビジョン放送を含む。
【００４０】
第１の操作部４２２は、テレビ１０に対する操作命令の入力を受け付ける。ある局面において、第１の操作部４２２は、テレビ１０の筐体（図示しない）の前面に設けられる操作ボタンとして実現される。また、第１の操作部４２２は、テレビ１０の動作を制御するリモコン端末３０から発信される制御信号を受信する受信部として実現される。
【００４１】
第１の制御部４１０は、テレビ１０に対して与えられる命令とテレビ１０が取得する映像信号とに基づいて、第１の表示部４２６における映像表示を実現する。第１の制御部４１０は、第１の記憶部４２４に格納されているデータおよびプログラムと、第１の操作部４２２に対して与えられた命令とに基づいて、テレビ２０との通信を実現する。より具体的には、ＳＩＰ通信管理部４１２は、テレビ２０との電話セッションの確立の命令に基づいて、第１の通信部４２８を介してテレビ２０と通信する。ＳＩＰ通信管理部４１２は、テレビ１０とテレビ２０との間の電話セッションの確立を確認し、第１の操作部４２２に対して与えられる命令に応じた信号をテレビ２０に送信する。
【００４２】
ある局面において、第１の制御部４１０は、第１の表示部４２６に表示されている映像をテレビ２０に表示させるための映像表示情報をテレビ２０に送信する。他の局面において、第１の制御部４１０は、チューナ部によって選択されているチャンネルを表わすチャンネル情報をテレビ２０に送信する。
【００４３】
他の局面において、第１の制御部４１０は、第１の取得部４２０に与えられた映像信号に基づいてその信号を圧縮符号化し、その符号化により生成されたデータをテレビジョン２０に送信する。
【００４４】
他の局面において、第１の記憶部４２４は、テレビ１０からテレビ２０に対する情報の送信を規定する第１の制御データを格納している。第１の制御データは、たとえば当該映像表示情報の送信の許可と禁止とのいずれかを規定する。第１の制御データが映像表示情報の送信を許可している場合に、第１の制御部４１０は、その映像表示情報をテレビ２０に対して送信する。
【００４５】
さらに他の局面において、第１の制御部４１０は、テレビ２０から送信された情報に基づいて、第１の取得部４２０によって取得された映像信号をテレビ２０に送信する。たとえば、テレビ２０がテレビ１０による表示指示に基づく映像を表示できない場合、テレビ１０は、第１の表示部４２６に表示されている映像に応じたデータをテレビ２０に対して送信する。この場合、テレビ２０は、そのデータに基づく映像を表示する。
【００４６】
第１の通信部４２８は、インターネットプロトコルに従って、信号の送信または受信を行なう。ＳＩＰ通信管理部４１２によって電話セッションが確立されると、第１の通信部４２８は、そのセッションが形成されている間、テレビ１０からテレビ２０に対して音声信号を送信する。逆に、第１の通信部４２８は、テレビ２０から送信された音声信号を受信し、ＳＩＰ通信管理部４１２に伝送する。
【００４７】
図４を再び参照して、テレビ２０は、第２の取得部４６０と、第２の操作部４６２と、第２の制御部４５０と、第２の記憶部４６４と、第２の表示部４６６と、第２の通信部４６８とを備える。第２の制御部４５０は、ＳＩＰ通信管理部４５２を含む。
【００４８】
第２の取得部４６０は、テレビ２０の外部から映像を表示するための信号を取得する。第２の操作部４６２は、テレビ２０に対する命令の入力を受け付ける。第２の制御部４５０は、テレビ２０に対して与えられた命令とテレビ２０が格納しているデータおよびプログラムとに基づいてテレビ２０の動作を制御する。第２の記憶部４６４は、テレビ２０に対して予め与えられたデータと、テレビ２０について予め規定された動作を実現するためのプログラムとを格納している。第２の表示部４６６は、テレビ２０に対して与えられた信号に基づいて映像を表示する。ある局面において、第２の表示部４６６は、第２の取得部４６０によって取得された映像信号に基づいて映像を表示する。
【００４９】
第２の通信部４６８は、インターネットプロトコルに従って、信号の送信または受信を行なう。
【００５０】
ＳＩＰ通信管理部４５２は、第２の操作部４６２に対して与えられる命令に基づいて、あるいは第２の通信部４６８によって受信された信号に基づいて、ＩＰ電話による通話を可能にするための処理をテレビ１０との間で実行する。この処理が実行されると、ＩＰ電話セッションが確立される。なお、ＳＩＰについては、当業者にとって周知である。したがって、詳細な説明は述べない。
【００５１】
ある局面において、第２の制御部４５０は、テレビ１０から受信したチャンネル情報をチューナ部に選択させ、その選択されたチャンネル情報に基づく映像を第２の表示部４６６に表示させる。
【００５２】
他の局面において、第２の制御部４５０は、パケットデータから映像信号を復号し、その復号により得られた映像信号に基づく映像を第２の表示部４６６に表示させる。
【００５３】
第２の記憶部４６４は、テレビ１０から受信する情報に基づく映像の表示の許可と禁止とを規定する第２の制御データを格納している。第２の制御データが映像の表示の許可を規定している場合には、第２の制御部４５０は、当該映像表示情報に基づく映像を第２の表示部４６６に表示させる。
【００５４】
さらに他の局面において、第２の制御部４５０は、テレビ１０から送信された映像表示情報に基づく映像を表示することができるか否かを確認する。たとえば、第２の制御部４５０は、テレビ２０のハードウェア構成を規定するデータを参照して、当該映像表示情報に基づく映像の表示が可能かどうかを判定する。第２の制御部４５０は、その映像表示情報に基づく映像を表示できないことを確認すると、その旨を表わす信号を生成し、第２の通信部４６８を介してテレビ１０にその信号を送信する。
【００５５】
この場合、テレビ１０は、その信号を受信すると、第１の取得部４２０によって取得された映像信号を圧縮符号化し、その符号化によって得られたデータをテレビ２０に送信する。
【００５６】
テレビ２０は、そのデータを受信するとそのデータを復号し、復号によって得られた映像信号に基づく映像を第２の表示部４６６に表示する。
【００５７】
さらに他の局面において、第２の制御部４５０は、第２の表示部４６６における表示領域のうちの一部の領域に、テレビ１０から受信した映像表示情報に基づく映像を表示させる。たとえば、第２の取得部４６０が２つのチューナとして実現される場合、第２の制御部４５０は、そのうちの第１のチューナによって取得された信号に基づく映像を、第２の表示部４６６の表示領域の全体に表示させる。さらに、第２の制御部４５０は、テレビ１０から送られた映像表示情報に基づくチャンネルからの信号を第２の表示部４６６の表示領域の一部に表示させるためのデータをたとえば間引きによって生成し、生成したデータを第２の表示部４６６に表示させる。この場合、テレビ１０において表示されている映像は、テレビ２０の表示領域の一部に表示されることになる（図２における表示領域２４）。
【００５８】
次に、図５を参照して、テレビ１０の具体的構成について説明する。図５は、テレビ１０のハードウェア構成を表わすブロック図である。テレビ１０は、外部入力部５０４と、２つのチューナ５１４ａ，５１４ｂと、切換回路５１６と、受光部５０６と、操作部５０８と、ＣＰＵ５１０と、アンテナ５６０と、無線通信回路５６２と、信号処理回路５２０と、表示ドライバ５２８と、ディスプレイ５３０と、アンプ５３６ａ，５３６ｂと、スピーカ５４０ａ，５４０ｂと、通信Ｉ／Ｆ（Interface）５７０とを備える。ＣＰＵ５１０は、メモリ５１２を含む。信号処理回路５２０は、分離回路５２２とＯＳＤ（On Screen Display）回路５２４とを含む。チューナ５１４ａ，５１４ｂには、アンテナ５０２が接続されている。
【００５９】
アンテナ５０２によって受信された放送信号は、チューナ５１４ａ，５１４ｂに伝送される。チューナ５１４ａ，５１４ｂは、ＣＰＵ５１０から出力される制御信号に基づいて、指定されたチャンネルを選択する。
【００６０】
外部入力部５０４は、テレビ１０の外部から映像音声信号の入力を受け付ける。たとえば、外部入力部５０４は、ＶＴＲ（Video Tape Recorder）、ＤＶＤプレーヤその他の映像再生装置から出力された映像音声信号の入力を受け付ける。映像音声信号は、外部入力部５０４から切換回路５１６に伝送される。外部入力部５０４は、映像信号の入力と音声信号の入力とを別々に受けるものであってもよいし、これらの信号をまとめて伝送するケーブルの接続を受けるものであってもよい。
【００６１】
切換回路５１６は、ＣＰＵ５１０から出力される切換命令に基づいて、チューナ５１４ａ，５１４ｂの少なくともいずれかから出力される信号と外部入力部５０４から送られる信号とのいずれかを選択的に出力する。出力された信号は、信号処理回路５２０に入力される。
【００６２】
メモリ５５２は、たとえばフラッシュメモリとして実現される。メモリ５５２は、テレビ１０がＩＰ電話を実現するためのデータ（たとえばテレビ１０に割り当てられたＩＰアドレス（図２におけるメモリ領域６４））と、テレビ１０に割り当てられたＩＰ電話番号（メモリ領域６６）とを格納している。分離回路５２２は、ＣＰＵ５１０から出力される命令に基づいて映像信号と音声信号とを分離する。分離回路５２２から出力される映像信号は、ＯＳＤ回路５２４に入力される。分離回路５２２から出力される音声信号は、アンプ５３６ａ，５３６ｂにそれぞれ入力される。
【００６３】
ＯＳＤ回路５２４は、ＣＰＵ５１０から出力される命令に基づいて、ディスプレイ５３０に画像を表示するための信号を生成する。この画像は、たとえばチャンネル番号、他のテレビ２０で選択されているチャンネルの表示、テレビ２０の登録使用者その他の文字情報を含む。また、文字情報には、音量レベルを表わす表示、テレビ１０の動作を表わす表示も含まれる。動作を表わす表示は、音量のアップまたはダウン、コントラストの変更などを含む。
【００６４】
ＯＳＤ回路５２４は、さらに、ディスプレイ５３０に２つのチャンネルの映像をそれぞれ表示するための信号を生成する。たとえば、ＯＳＤ回路５２４は、テレビ１０の使用者によって選択されているチャンネルに基づく映像を表示領域全体に表示するための信号を生成し、さらに、テレビ２０の使用者によって選択されているチャンネルの映像を表示するための信号を当該表示領域の一部に表示するように画像を生成する。より具体的には、ＯＳＤ回路５２４は、分離回路５２２からそれぞれ出力される２つのチャンネルの各画像信号を合成し、その合成によって生成された信号をドライバ５２８に出力する。ドライバ５２８は、その信号に基づいてディスプレイ５３０における映像の表示を制御する。
【００６５】
アンプ５３６ａ，５３６ｂは、ＣＰＵ５１０から出力される命令に基づいて、分離回路５２２から出力される各音声信号を増幅し、増幅によって得られた信号をスピーカ５４０ａ，５４０ｂに伝送する。スピーカ５４０ａ，５４０ｂは、その信号に基づいて音声を出力する。なお、テレビ１０が備えるスピーカの数は２つに限られず、１つ（モノラル出力）であってもよい。
【００６６】
アンテナ５６０は、リモコン端末３０との間で無線信号の送信と受信とを行なう。より具体的には、リモコン端末３０がＩＰ電話の受話器として機能する場合、リモコン端末３０は、その使用者によって発話された音声に対応する信号を無線信号として発信する。この無線信号は、たとえば既存のコードレス電話が使用する通話形式に従うものである。その信号は、アンテナ５６０によって受信され、無線通信回路５６２に送出される。無線通信回路５６２は、その信号をデジタルデータに変換し、ＣＰＵ５１０に送出する。ＣＰＵ５１０は、そのデータをインターネット９０に送信し、テレビ２０との通話を実現する。
【００６７】
また、無線通信回路５６２は、ＣＰＵ５１０から出力されるデータをアナログ信号に変換する。このデータは、テレビ１０がテレビ２０から受信したＩＰ電話の音声に対応する。この音声は、すなわちテレビ２０の使用者がリモコン端末４０に対して発話したものに対応する。アンテナ５６０は、無線通信回路５６２から出力された信号を無線信号として発信する。リモコン端末３０がテレビ１０から発信される電波を受信可能な範囲に存在する場合には、リモコン端末３０の使用者は、その信号に基づく音声を聞くことができる。このようにして、ＩＰ電話が実現される。
【００６８】
次に、図６を参照して、テレビ１０のデータ構造について説明する。図６は、メモリ５５２におけるデータの格納の一態様を概念的に表わす図である。メモリ５５２は、データを格納するための複数のメモリ領域を含む。テレビ１０からテレビ２０に対するデータの送信の許可または禁止を規定するデータは、メモリ領域６１０に格納されている。より具体的には、テレビ１０のディスプレイ５３０に表示されている映像を表示するための情報（たとえばチューナ５１４ａによって選択されているチャンネルを特定するチャンネル番号）の送信を許可または禁止するデータが、メモリ領域６１０に格納されている。図６に示される例では、映像表示情報の送信は現時点では可能に設定されている。この設定は、テレビ１０の使用者によって変更可能である。
【００６９】
テレビ１０がＩＰ電話を行なうために登録されている他のテレビの属性情報は、メモリ領域６２０，６３０に格納されている。より具体的には、テレビ１０の通話相手を特定するデータは、メモリ領域６２０に格納されている。各テレビに割り当てられたＩＰ電話番号は、メモリ領域６３０に格納されている。リモコン端末３０の使用者が、リモコン端末３０を操作してＩＰ電話による発呼命令を与えると、その命令はテレビ１０に入力される。テレビ１０はメモリ５５２に格納されているＩＰ電話番号（メモリ領域６３０）を参照して、リモコン端末３０によって与えられた命令に含まれるＩＰ電話番号がテレビ１０において登録されているＩＰ電話番号と一致するか否かを確認する。これらのＩＰ電話番号が一致する場合には、ＣＰＵ５１０は、通信Ｉ／Ｆ５７０を介してテレビ２０との間でＩＰ電話によるセッションの確立を試みる。ＩＰ電話セッションが確立されると、テレビ１０とテレビ２０とは音声通信が可能となる。
【００７０】
次に、図７を参照して、テレビ２０の具体的構成について説明する。図７は、テレビ２０のハードウェア構成を表わすブロック図である。テレビ２０は、外部入力部７０４と、受光部７０６と、操作部７０８と、ＣＰＵ７１０と、２つのチューナ７１４ａ，７１４ｂと、切換回路７１６と、信号処理回路７２０と、表示ドライバ７２８と、ディスプレイ７３０と、アンプ７３６ａ，７３６ｂと、スピーカ７４０ａ，７４０ｂと、メモリ７５２と、アンテナ７６０と、無線通信回路７６２と、通信Ｉ／Ｆ７７０とを備える。信号処理回路７２０は、分離回路７２２と、ＯＳＤ回路７２４とを含む。ＣＰＵ７１０は、メモリ７１２を含む。チューナ７１４ａ，７１４ｂには、テレビ放送信号を受信するアンテナ７０２が接続されている。
【００７１】
図７に示されるテレビ２０のハードウェア構成は、図５に示されるテレビ１０のハードウェア構成と同じである。それらの動作も後述する点を除いて同じである。したがって同じ動作の説明は繰り返さない。
【００７２】
次に、図８を参照して、テレビ２０のデータ構造について説明する。図８は、メモリ７５２におけるデータの格納の一態様を概念的に表わす図である。メモリ７５２は、テレビ２０の動作を規定するために与えられたデータを格納するための複数のメモリ領域を含む。
【００７３】
テレビ２０に対して与えられた情報に基づく映像の表示を制御するためのデータは、メモリ領域８１０に格納されている。より具体的には、映像表示情報に基づいて映像を表示するか否かを規定するデータがメモリ領域８１０に格納される。図８に示される例では、この表示は現時点では「可能」に設定されている。この設定は、操作部７０８あるいは受光部７０６に対する命令を与えることにより、テレビ２０の使用者が変更可能である。
【００７４】
テレビ２０がＩＰ電話を行なう通話相手を特定する識別データは、メモリ領域８２０に格納される。各通話相手のＩＰ電話番号は、メモリ領域８３０に格納されている。
【００７５】
テレビ２０の使用者がリモコン端末４０を操作してＩＰ電話をかけるための操作を行なうと、その操作に応じた信号がテレビ２０に入力される。ＣＰＵ７１０は、その信号の入力に基づいてメモリ７５２を参照し、その命令に含まれる電話番号がメモリ領域８３０に登録されているものであるか否かを確認する。その電話番号がメモリ領域８３２に登録されていれば、ＣＰＵ７１０は、そのＩＰ電話番号（メモリ領域８３０）に基づいて通信Ｉ／Ｆ７７０を介して電話を発呼する。
【００７６】
一方、テレビ２０が通信Ｉ／Ｆ７７０を介してＩＰ電話の着信を受けると、その着信信号に含まれる電話番号がＣＰＵ７１０によって取出され、メモリ７５２に登録されているＩＰ電話番号と一致するか否かが確認される。これらの電話番号が一致すると、ＣＰＵ７１０は、ＩＰ電話番号に対応する識別データ（メモリ領域８２０）を含む信号を無線通信回路７６２を介してアンテナ７６０から発信する。リモコン端末４０は、その信号を受信すると、その信号の送信者（すなわちＩＰ電話の発信者）がリモコン端末４０のディスプレイ（図示しない）に表示される。
【００７７】
次に、図９を参照して、本実施の形態に係るリモコン端末３０について説明する。図９は、リモコン端末３０によって実現される機能の構成を表わすブロック図である。リモコン端末３０は、テレビ１０を制御する機能と、ＩＰ電話機能とを有する。
【００７８】
リモコン端末３０は、操作部９０２と、生成部９０４と、発信部９０６と、受話部９０８と、変換部９１０と、表示部９１２と、アンテナ９１４と、無線受信部９１６と、復調部９１８と、変調部９２０と、無線送信部９２２と、記憶部９３０と、音声出力部９２４とを備える。操作部９０２は、リモコン端末３０に対する操作の入力を受け付ける。操作部９０２は、その操作に応じた信号を生成部９０４に送出する。
【００７９】
生成部９０４は、操作部９０２から出力される信号に基づいてテレビ１０の動作を制御するための信号を生成し、その生成した信号を発信部９０６に送出する。発信部９０６は、その制御信号を発信する。たとえば、発信部９０６は、赤外線の信号としてその制御信号を発信する。
【００８０】
受話部９０８は、リモコン端末３０の使用者によって発話された音声の入力を受け付ける。受話部９０８は、その音声信号を変換部９１０に送出する。変換部９１０は、受話部９０８から出力される信号を処理して、無線送信するための信号形式に変換する。
【００８１】
表示部９１２は、生成部９０４から出力される信号に応じた画像、または、変換部９１０から出力されるデータに応じた画像を表示する。表示される画像は、テレビ１０におけるチャンネルを選択するための番号、ＩＰ電話の発信のために入力された電話番号、相手先（たとえばテレビ２０）から着信を受けた場合のテレビ２０のＩＰ電話の番号を含む。
【００８２】
アンテナ９１４は、テレビ１０から送信された信号を受信する。より具体的には、アンテナ９１４は、テレビ２０からの着信に基づいて生成された呼び出し信号を受信する。また、ＩＰ電話のセッションが確立された後は、アンテナ９１４は、テレビ２０から送られたＩＰ電話のための信号に加えて、リモコン端末３０の使用者が受話部９０８に対して発話した音声に応じた信号を送信する。
【００８３】
無線受信部９１６は、アンテナ９１４によって受信された信号の入力を受け付ける。無線受信部９１６は、その信号を復調部９１８に送出する。復調部９１８は、その信号を復調し、復調によって得られた信号を変換部９１０に送出する。
【００８４】
変調部９２０は、変換部９１０から出力された信号を変調し、無線送信のための信号を生成し、その生成した信号を無線送信部９２２に送出する。無線送信部９２２は、その信号をアンテナ９１４に向けて送出する。アンテナ９１４は、その信号を発信する。発信された信号は、テレビ１０のアンテナ５６０によって受信される。
【００８５】
また、他の局面において、リモコン端末３０が、テレビ１０から発信されたＩＰ電話のための信号を受信すると、変換部９１０は、その信号に含まれている発信元（テレビ２０）の電話番号を取得し、表示部９１２にその番号を送出する。表示部９１２は、その信号に基づき相手側の電話番号を表示する。
【００８６】
また、変換部９１０は、復調部９１８によって復調された信号から、音声信号を取り出し、取り出した音声信号を音声出力部９２４に送出する。音声出力部９２４は、その音声信号に基づく音声を出力する。たとえば、リモコン端末３０がＩＰ電話の着呼を受けたとき、音声出力部９２４は、その電話の呼び出し音を出力する。その後、リモコン端末３０の使用者が受話器を受ける操作を行なうと、音声出力部９２４は、発信者の音声を出力する。
【００８７】
図１０を参照して、リモコン端末３０についてさらに説明する。図１０は、リモコン端末３０の外観を表わす図である。リモコン端末３０は、操作部１００２と、発光部１０６０と、ディスプレイ１０２０とを備える。操作部１００２は、具体的には、ボタン、タッチパネル、あるいはダイヤル等によって実現される。操作部１００２は、ディスプレイ１０２０に表示されるカーソルの上下および左右方向を規定するカーソルボタン１００４ａ，１００４ｂ，１００４ｃ，１００４ｄと、決定ボタン１０１４と、アップダウンボタン１００８と、数字ボタン１００６とを含む。決定ボタン１０１４は、リモコン端末３０の使用者による入力の内容を確定するための操作を受け付ける。アップダウンボタン１００８は、出力される制御信号に含まれる値を大きくし、あるいは小さくするための操作を受け付ける。数字ボタン１００６は、各数字の入力を受け付ける。アップダウンボタン１００８は、第１のアップボタン１０１８ａと、第１のダウンボタン１０１８ｂと、第２のアップボタン１０２８ａと、第２のダウンボタン１０２８ｂとを含む。第１のアップボタン１０１８ａと第１のダウンボタン１０１８ｂとは、たとえばチャンネルを選択するための命令を受け付ける。第２のアップボタン１０２８ａと第２のダウンボタン１０２８ｂとは、音量の増減のための命令を受け付ける。
【００８８】
リモコン端末３０は、ＩＰ電話の受信あるいは発信の指示を受け付けるボタン１０８２と、ＩＰ電話の終了の指示を受け付けるボタン１０８０とを含む。
【００８９】
リモコン端末３０の使用者がボタン１０８２を押下すると、リモコン端末３０は、通常の電話と同様に発呼動作を待機する。当該使用者が数字ボタン１００６に対して数字を入力すると、その数字によって特定されるＩＰ電話番号によって発呼動作が行なわれ、テレビ１０による呼び出しが行なわれる。一方、リモコン端末３０の使用者がボタン１０８０を押下すると、その押下に応答してリモコン端末３０を用いたＩＰ電話は終了する。
【００９０】
リモコン端末３０は、さらに、スピーカ１０７０とマイク１０８０とを含む。スピーカ１０７０は、リモコン端末３０に対するＩＰ電話の着信を報知する。また、電話セッションが確立されている場合には、通話相手から送られた音声信号に基づく音声が出力される。マイク１０８０は、リモコン端末３０に対する発話を受けて、その発話に応じた信号を音声信号としてリモコン端末３０の動作を規定するプロセッサ（図示しない）に送出する。当該プロセッサがその信号に基づいて無線信号を生成し、アンテナ９１４を介して発信する。これによりＩＰ電話による通話が実現される。
【００９１】
図１１を参照して、リモコン端末３０のデータ構造について説明する。図１１は、記憶部９３０におけるデータの格納の一態様を概念的に表わす図である。記憶部９３０は、たとえばフラッシュメモリとして実現される。その他の不揮発性のメモリが使用されてもよい。記憶部９３０は、リモコン端末３０の動作を規定するためのデータを格納する複数のメモリ領域を含む。
【００９２】
テレビ１０の通話相手として登録された相手を特定するデータは、メモリ領域１１１０に格納されている。その相手に割り当てられている電話番号は、メモリ領域１１２０に格納されている。リモコン端末３０によるＩＰ電話を実行するためのプログラムは、メモリ領域１１３０に格納されている。このプログラムは、リモコン端末３０が備えるプロセッサによって実行され、後述する処理が実現される。
【００９３】
テレビ１０の動作を制御するための信号を生成するプログラムは、メモリ領域１１４０に格納されている。リモコン端末３０がテレビ１０の動作を制御する通常の端末として機能する場合、このプログラムに応じて制御信号が生成され、リモコン端末３０から発信される。なお、リモコン端末３０の動作は、前述のようなプログラムとプロセッサとの協働によって実現されるもの、すなわちソフトウェアとハードウェアとの組み合わせによって実現されるものに限られない。たとえば、リモコン端末３０は、操作部９０２に対する操作に応じた信号を出力する各回路の組み合せのように、ハードウェアの組み合せによって実現されるものであってもよい。
【００９４】
次に、図１２を参照して、本実施の形態に係るリモコン端末３０の制御構造について説明する。図１２は、リモコン端末３０が備える制御部９５０が実行する一連の動作の一部を表わすフローチャートである。
【００９５】
ステップＳ１２１０にて、制御部９５０は、操作部９０２に対するボタンの操作に基づいて、ＩＰ電話番号および発呼命令の入力を検知する。ステップＳ１２２０にて、制御部９５０は、生成部９０４として、ＩＰ電話番号および発呼命令を含む制御信号を生成する。ステップＳ１２３０にて、発信部９０６は、その制御信号を赤外線信号として発信する。
【００９６】
ステップＳ１２４０にて、制御部９５０は、アンテナ９１４によって受信された信号に基づいて、ＩＰ電話セッションが確立したことを表わす信号をテレビ１０から受信する。ステップＳ１２５０にて、制御部９５０は、操作部９０２に対する操作に基づいて、映像表示情報を送信する命令が入力されたことを検知する。ステップＳ１２６０にて、制御部９５０は、映像表示情報を含む制御信号を生成する。より具体的には、制御部９５０は、記憶部９３０を参照して、最後に選択されたチャンネルを特定するデータを読み出し、そのデータを映像表示情報として用いて制御信号を生成する。ステップＳ１２７０にて、制御部９５０は、その制御信号を赤外線信号として発信する。
【００９７】
次に、図１３を参照して、テレビ１０の制御構造について説明する。図１３は、テレビ１０のＣＰＵ５１０が実行する一連の動作の一部を表わすフローチャートである。
【００９８】
ステップＳ１３１０にて、ＣＰＵ５１０は、受光部５０６から出力された信号に基づいて、リモコン端末３０から制御信号を受信したことを検知する。ステップＳ１３１２にて、ＣＰＵ５１０は、その制御信号からＩＰ電話の発呼の命令とテレビ２０のＩＰ電話番号とを取得する。ステップＳ１３１４にて、ＣＰＵ５１０は、その命令に応答して取得したＩＰ電話番号に従って発呼動作を行なう。より具体的には、ＣＰＵ５１０は、ＳＩＰに従ってＩＰ電話のセッションの開始要求を生成し、その要求（パケットデータ）を通信Ｉ／Ｆ５７０を介してインターネット９０に送信する。ＳＩＰ管理サーバ６０は、そのパケットを受信すると、そのパケットに含まれるテレビ２０のＩＰ電話番号を取り出し、その電話番号に基づいてテレビ２０にＩＰ電話の開始要求を送信する。
【００９９】
ステップＳ１３１６にて、ＣＰＵ５１０は、テレビ２０との間でＩＰ電話のセッションが確立されたことを検知する。より具体的には、テレビ２０がＳＩＰ管理サーバ６０からの要求に対して受諾を表わす信号を送信すると、その信号に基づくセッションを介して信号がテレビ１０に送信される。ＣＰＵ５１０は、その信号を受信すると、テレビ１０とテレビ２０との間でセッションが形成されたことを知ることができる。
【０１００】
ステップＳ１３１８にて、ＣＰＵ５１０は、無線通信回路５６２から出力された信号（すなわち、リモコン端末３０からの音声信号）をパケットに変換し、そのパケットを用いてテレビ２０と通話する。また、テレビ１０がテレビ２０からパケットを受信すると、そのパケットに基づく音声信号は、無線通信回路５６２からアンテナ５６０によって発信される。リモコン端末３０の使用者は、その信号に基づく音声を聞くことにより、テレビ２０の使用者と通話することができる。
【０１０１】
ステップＳ１３２０にて、ＣＰＵ５１０は、リモコン端末３０から映像表示情報の送信を要求する制御信号を受信したか否かを判定する。この判定は、たとえば操作部５０８から出力される制御信号の中に、当該映像表示情報の送信要求を表わすコードが含まれているか否かに基づいて行なわれる。ＣＰＵ５１０は、その制御信号を受信したと判定すると（ステップＳ１３２０にてＹＥＳ）、制御をステップＳ１３３０に切り換える。そうでない場合には（ステップＳ１３２０にてＮＯ）、ＣＰＵ５１０は、制御をステップＳ１３４０に切り換える。
【０１０２】
ステップＳ１３３０にて、ＣＰＵ５１０は、メモリ５５２に格納されているデータ（メモリ領域６１０）に基づいて、映像表示情報の送信が許可されているか否かを判定する。映像表示情報の送信が許可されている場合（ステップＳ１３３０にてＹＥＳ）、ＣＰＵ５１０は制御をステップＳ１３３２に切り換える。そうでない場合には（ステップＳ１３３０にてＮＯ）、ＣＰＵ５１０は、制御をステップＳ１３４０に切り換える。
【０１０３】
ステップＳ１３３２にて、ＣＰＵ５１０は、チューナ５１４ａによって選択されているチャンネルの番号と、テレビ２０のＩＰアドレスとを取得する。より具体的には、ＣＰＵ５１０は、チューナ５１４ａに対して最後に与えられた選局命令に対応するチャンネル番号をメモリ５１２から読み出す。また、ＣＰＵ５１０は、メモリ５５２を参照してテレビ２０のＩＰアドレスを読み出す。
【０１０４】
ステップＳ１３３４にて、ＣＰＵ５１０は、そのチャンネル番号とＩＰアドレスとに基づいてテレビ２０の映像の表示を要求するパケットデータを生成する（図３）。
【０１０５】
ステップＳ１３３６にて、ＣＰＵ５１０は、通信Ｉ／Ｆ５７０を経由してテレビ２０に対してパケット３００を送信する。
【０１０６】
ステップＳ１３４０にて、ＣＰＵ５１０は、受光部５０６から出力された信号に基づいて、リモコン端末３０からＩＰ電話の終了を表わす信号を受信したか否かを判定する。より具体的には、ＣＰＵ５１０は、制御信号の中からテレビ１０の動作を規定するコードを取り出し、そのコードがＩＰ電話の終了を規定しているか否かを確認する。ＣＰＵ５１０は、その信号を受信したと判定すると（ステップＳ１３４０にてＹＥＳ）、制御をステップＳ１３５０に切り換える。そうでない場合には（ステップＳ１３４０にてＮＯ）、制御をステップＳ１３１８に戻す。
【０１０７】
ステップＳ１３５０にて、ＣＰＵ５１０は、通信Ｉ／Ｆ５７０を介してテレビ２０に対して終了コマンドを送信することにより、テレビ２０との間で確立されていたＩＰ電話セッションを終了する。
【０１０８】
次に、図１４を参照して、テレビ２０の制御構造について説明する。図１４は、テレビ２０が備えるＣＰＵ７１０が実行する一連の動作の一部を表わすフローチャートである。
【０１０９】
ステップＳ１４１０にて、ＣＰＵ７１０は、通信Ｉ／Ｆ７７０から受信したデータに基づいて、テレビ１０によるＩＰ電話の呼び出しが行なわれていることを検知する。ステップＳ１４１２にて、ＣＰＵ７１０は、受光部７０６によって受信された信号（リモコン端末４０から発信された制御信号）に基づいて、テレビ１０との間でＩＰ電話セッションを形成する。より具体的には、テレビ２０の使用者が、ＩＰ電話の呼び出しに対してリモコン端末４０を操作してその呼び出しに応答すると、その応答を表わす信号は、ＳＩＰ管理サーバ６０に送られる。ＳＩＰ管理サーバ６０は、その信号に基づき、テレビ２０がテレビ１０による呼び出しに応じたことを表わす信号を生成し、その生成した信号をテレビ１０に送信する。その後、テレビ１０とテレビ２０との間でＩＰ電話のセッションが確立されると、通話が可能となる。
【０１１０】
ステップＳ１４１４にて、ＣＰＵ７１０は、通信Ｉ／Ｆ７７０を介して音声データを有するパケットを受信する。ステップＳ１４１６にて、ＣＰＵ７１０は、そのパケットを音声信号に変換し、無線通信回路７６２に送出する。ステップＳ１４１８にて、無線通信回路７６２は、その信号をアンテナ７６０を介して無線送信する。リモコン端末４０がテレビ２０によって発信された信号を受信可能な範囲に存在する場合には、リモコン端末４０とテレビ２０との間で通信が実現される。
【０１１１】
ステップＳ１４２０にて、ＣＰＵ７１０は、通信Ｉ／Ｆ７７０から出力されたデータに基づいて、映像表示情報を有するパケット３００を受信したことを検知する。ステップＳ１４２２にて、ＣＰＵ７１０は、パケット３００からユーザデータを取得する。より具体的には、ＣＰＵ７１０は、映像表示情報が含まれていることを示すコードと、テレビ１０において選択されているチャンネルの番号と、そのチャンネルに基づく映像の表示を要求するコードとを取得し、メモリ７１２において確保したメモリ領域に一時的に格納する。
【０１１２】
ステップＳ１４３０にて、ＣＰＵ７１０は、メモリ７１２に格納したこれらのデータに基づいて、映像表示情報に基づく映像の表示が許可されているか否かを判定する。より具体的には、ＣＰＵ７１０は、メモリ７５２を参照して（メモリ領域８１０）、当該表示が許可されているか否かを判定する。ＣＰＵ７１０は、映像表示情報に基づく映像の表示が許可されていると判定すると（ステップＳ１４３０にてＹＥＳ）、制御をステップＳ１４４０に切り換える。そうでない場合には（ステップＳ１４３０にてＮＯ）、処理を終了する。
【０１１３】
ステップＳ１４４０にて、ＣＰＵ７１０は、取得したユーザデータに含まれるチャンネルの番号によって特定されるチャンネルを選択する命令を、チューナ７１４ｂに送出する。チューナ７１４ｂは、その命令に応じて選局動作を実行する。チューナ７１４ｂによって選択されたチャンネルからの信号に基づく映像は、これにより表示可能となる。
【０１１４】
ステップＳ１４４２にて、ＣＰＵ７１０は、そのチャンネルからの信号に基づく映像をディスプレイ７３０の表示領域の一部の領域（たとえば図２における表示領域２４）に表示するための信号を生成する命令を、ＯＳＤ回路７２４に与える。ＯＳＤ回路７２４は、その命令に応じて、分離回路７２２から出力される映像信号を用いて、当該信号を生成する。生成された信号は、表示ドライバ７２８に送られる。
【０１１５】
ステップＳ１４４４にて、ＣＰＵ７１０は、通信Ｉ／Ｆ７７０から送られるデータに基づいて、あるいは無線通信回路７６２から出力されたデータに基づいて、ＩＰ電話の通話の終了を検知する。ステップＳ１４５０にて、ＣＰＵ７１０は、ディスプレイ７３０の表示領域の一部に表示されている映像（すなわちテレビ１０において表示されていた映像）の表示を終了するか否かを判定する。この判定は、たとえば、上記映像表示情報の中に含まれるコードであって、ＩＰ電話のセッションが終了した後に表示を継続するか否かを表わすデータに基づいて行なわれる。ＣＰＵ７１０は、当該表示を終了すると判定すると（ステップＳ１４５０にてＹＥＳ）、制御をステップＳ１４６０に切り換える。そうでない場合には（ステップＳ１４５０にてＮＯ）、ＣＰＵ７１０は制御を終了する。
【０１１６】
ステップＳ１４６０にて、ＣＰＵ７１０は、そのチャンネルの選択を終了する命令をチューナ７１４ｂに与える。チューナ７１４ｂは、その命令に応答して、当該選局動作を終了する。その結果、チューナ７１４ａから出力される信号に基づく映像、すなわち、テレビ２０の使用者が選択していたチャンネルからの信号に基づく映像のみが表示されることになる。
【０１１７】
以上のようにして、本発明の第１の実施の形態に係る通信システムによると、ＩＰ電話機能を有するテレビ１０，２０は、各使用者の操作に応じて、ＩＰ電話セッションを形成する。テレビ１０の視聴者が、現在選択されているチャンネルを特定するデータを映像表示情報としてテレビ２０に対して送信する操作を実行すると、チャンネル番号を含むパケット３００がテレビ２０に送信される。
【０１１８】
テレビ２０は、パケット３００からチャンネル番号を取り出して、サブチューナ７１４ｂを使用して、そのチャンネルを選択する。テレビ２０は、サブチューナ７１４ｂから送られる信号に基づく映像を、テレビ２０の表示領域２２の一部の表示領域２４に表示する。表示領域２４に表示される映像は、テレビ１０の表示領域１２に表示される映像と同じである。これにより、テレビ１０の使用者とテレビ２０の使用者とは、同一の番組を視聴することができるため、話題を共有することができ、テレビ放送番組による楽しみが増加する。
【０１１９】
なお、本実施の形態においては、２つのチューナがテレビに含まれる構成が例示として使用されたが、３つ以上のチューナが使用されるものでもよい。
【０１２０】
＜第２の実施の形態＞
以下、本発明の第２の実施の形態について説明する。本実施の形態に係る映像表示システムは、いずれかの映像表示装置がテレビ放送信号を受信する機能を有さない場合にも実現できる点で、前述の第１の実施の形態と異なる。
【０１２１】
図１５を参照して、本実施の形態に係る映像表示システムについて説明する。図１５は、映像表示装置１５１０，１５５０によって実現される機能の構成を表わすブロック図である。映像表示装置１５１０は、第１の取得部４２０と、第１の操作部４２２と、第１の記憶部４２４と、第１の表示部４２６と、第１の通信部４２８とに加えて、第１の制御部１５２０を備える。第１の制御部１５２０は、符号化部１５２２と、パケット生成部１５２４と、ＳＩＰ通信管理部４１２とを含む。
【０１２２】
符号化部１５２２は、第１の取得部４２０によって取得された映像信号を圧縮符号化する。圧縮符号化によって生成されたデータはパケット生成部１５２４に入力される。パケット生成部１５２４は、そのデータに基づいてインターネット９０を介した通信のためのパケットデータを生成する。生成されたデータは、ＳＩＰ通信管理部４１２を介して第１の通信部４２８から映像表示装置１５５０に送られる。
【０１２３】
図１５を再び参照して、映像表示装置１５５０は、第２の取得部４６０と、第２の操作部４６２と、第２の記憶部４６４と、第２の表示部４６６と、第２の通信部４６８とに加えて、第２の制御部１５６０を備える。第２の制御部１５６０は、確認部１５６２と、復号部１５６４と、ＳＩＰ通信管理部４５２とを含む。
【０１２４】
確認部１５６２は、第２の通信部４６８によって受信されたデータに基づいて、映像表示情報に含まれる信号に基づく映像の表示（たとえばチャンネルの選択）が可能であるか否かを確認する。より具体的には、確認部１５６２は、第２の記憶部４６４を参照して、映像表示装置１５５０に与えられる情報に基づく映像の表示が許可されているか否かを判定する。そのような表示が許可されていない場合には、確認部１５６２は、その旨を表わすデータを生成し、ＳＩＰ通信管理部４５２にそのデータを送出する。あるいは、映像表示装置１５５０がテレビ放送信号を受信するためのチューナとして複数有していない場合には、確認部１５６２は、その構成に基づいて、外部から映像表示装置１５５０に与えられる情報に基づく映像を表示できないと判定する。確認部１５６２は、その判定結果を表わすデータを生成し、生成したデータをＳＩＰ通信管理部４５２に送信する。
【０１２５】
ＳＩＰ通信管理部４５２は、そのデータを映像表示装置１５１０に対して送出する。この場合、映像表示装置１５１０が、前述の圧縮符号化された映像信号を映像表示装置１５５０に対して送信すると、そのデータはＳＩＰ通信管理部４５２から復号部１５６４に送出される。復号部１５６４は、そのパケットから映像信号を復号し、第２の表示部４６６に送出する。第２の表示部４６６は、その信号に基づく映像を表示する。
【０１２６】
次に、図１６を参照して、映像表示装置１５１０から映像表示装置１５５０に送られるデータについて説明する。図１６は、パケット１６００の構成を概念的に表わす図である。パケット１６００は、ヘッダ部１６１０と、ユーザデータ部１６２０と、ＦＣＳ１６３０とを含む。
【０１２７】
ヘッダ部１６１０は、図３に示されるパケット３００のヘッダ部３１０と同様の内容を有する。ユーザデータ部１６２０は、映像表示情報が含まれていることを示すコードと、圧縮符号化された映像データと、当該映像データの復号を要求するコードとを含む。このような構成を有するパケット１６００が映像表示装置１５５０によって受信されると、復号部１５６４は、ユーザデータ部１６２０に含まれる映像データを復号し、元の映像信号を復元する。第２の表示部４６６は、その映像信号に基づく映像を表示できる。
【０１２８】
以上のようにして、本発明の第２の実施の形態に係る映像表示システムによると、ＩＰ電話の着信を受けて映像表示情報を受信した映像表示装置１５５０は、その映像表示情報に基づく映像を表示できないことを確認すると、その確認の結果を表わす信号を、映像表示情報を送信した映像表示装置１５１０に送信する。映像表示装置１５１０は、その信号に基づき、映像表示情報に対応する映像コンテンツを圧縮符号化して、映像音声データとして映像表示装置１５５０に送信する。映像表示装置１５５０は、その映像音声データを受信すると、復号化して映像を表示する。
【０１２９】
このようにすると、映像表示装置１５５０の使用者は、映像表示装置１５１０によって送られたデータに基づいて映像を視聴することができ、映像表示装置１５１０の使用者と同一の映像を視聴することになる。その結果、両使用者は、楽しみを共有することができる。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３１】
【図１】本発明の第１の実施の形態に係る映像表示システム１を構成するテレビ１０，２０等の間で行なわれる通信を表わすシーケンスチャートである。
【図２】映像表示システム１の構成を表わす図である。
【図３】テレビ１０とテレビ２０との間で通信されるパケット３００の構成を概念的に表わす図である。
【図４】映像表示システム１を構成するテレビ１０およびテレビ２０によって実現される機能の構成を表わすブロック図である。
【図５】テレビ１０のハードウェア構成を表わすブロック図である。
【図６】テレビ１０のメモリ５５２におけるデータの格納の一態様を概念的に表わす図である。
【図７】テレビ２０のハードウェア構成を表わすブロック図である。
【図８】テレビ２０のメモリ７５２におけるデータの格納の一態様を概念的に表わす図である。
【図９】リモコン端末３０によって実現される機能の構成を表わすブロック図である。
【図１０】リモコン端末３０の外観を表わす図である。
【図１１】リモコン端末３０の記憶部９３０におけるデータの格納の一態様を概念的に表わす図である。
【図１２】リモコン端末３０が備える制御部９５０が実行する一連の動作の一部を表わすフローチャートである。
【図１３】テレビ１０のＣＰＵ５１０が実行する一連の動作の一部を表わすフローチャートである。
【図１４】テレビ２０が備えるＣＰＵ７１０が実行する一連の動作の一部を表わすフローチャートである。
【図１５】本発明の第２の実施の形態に係る映像表示システムに含まれる映像表示装置１５１０，１５５０によって実現される機能の構成を表わすブロック図である。
【図１６】映像表示装置１５１０から映像表示装置１５５０に送られるパケット１６００の構成を概念的に表わす図である。
【符号の説明】
【０１３２】
１  映像表示システム、１０，２０  テレビ、３０，４０  リモコン端末、９０  インターネット、５０  ＤＶＤプレーヤ、６０  ＳＩＰ管理サーバ、３００  パケット、５０２，７０２，９１４  アンテナ、５２８，７２８  表示ドライバ、５３６ａ，５３６ｂ，７３６ａ，７３６ｂ  アンプ。
【図１】
2008182461.tif 000003
【図２】
2008182461.tif 000004
【図３】
2008182461.tif 000005
【図４】
2008182461.tif 000006
【図５】
2008182461.tif 000007
【図６】
2008182461.tif 000008
【図７】
2008182461.tif 000009
【図８】
2008182461.tif 000010
【図９】
2008182461.tif 000011
【図１０】
2008182461.tif 000012
【図１１】
2008182461.tif 000013
【図１２】
2008182461.tif 000014
【図１３】
2008182461.tif 000015
【図１４】
2008182461.tif 000016
【図１５】
2008182461.tif 000017
【図１６】
2008182461.tif 000018